(57)【特許請求の範囲】
【請求項１】
表示部と、
貨幣が投入される投入部と、
前記投入部に投入された貨幣を収納する貨幣収納部と、
前記貨幣収納部に収納可能な貨幣の上限しきい値と、所定の締上処理後に該貨幣収納部に収納された貨幣の枚数との差分を示す収納可能枚数を算定する算定部と、
前記貨幣を前記貨幣収納部に収納するための所定の選択操作がなされたことを条件として、前記貨幣収納部に収納された貨幣の枚数が前記上限しきい値に占める割合を示す情報と、前記収納可能枚数とを含む表示画面を所定の期間前記表示部に表示制御する表示制御部と
を備えたことを特徴とする貨幣処理装置。
【請求項２】
前記表示制御部は、
所定の締上処理後に前記貨幣収納部に収納された貨幣の総額をさらに含む表示画面を前記表示部に表示制御する
ことを特徴とする請求項１に記載の貨幣処理装置。
【請求項３】
前記表示制御部は、
前記表示画面を前記表示部に表示してから所定の期間経過後に、前記貨幣収納部に収納された貨幣の総額を含まない表示画面を前記表示部に表示制御する
ことを特徴とする請求項２に記載の貨幣処理装置。
【請求項４】
操作者が保持する記録媒体から該操作者の識別情報を読み取る読取部と、
前記読取部により読み取られた操作者の権限を判定する権限判定部とをさらに備え、
前記表示制御部は、
前記操作者が所定の権限を有する場合には、前記表示画面を前記表示部に表示してから所定の期間、所定の締上処理後に前記貨幣収納部に収納された各レジの貨幣の総額と、各レジの貨幣の総額を加算した全レジの貨幣の総額とを含む表示画面を前記表示部に表示制御する
ことを特徴とする請求項２に記載の貨幣処理装置。
【請求項５】
前記表示制御部は、
前記貨幣収納部に収納された貨幣を回収するための所定の回収操作がなされてから所定の期間、前回の貨幣の回収処理後に前記貨幣収納部に収納された貨幣の総額に係る情報を含む表示画面を前記表示部に表示制御する
ことを特徴とする請求項１に記載の貨幣処理装置。
【請求項６】
複数の貨幣処理装置を有する貨幣処理システムであって、
各貨幣処理装置は、
表示部と、
貨幣が投入される投入部と、
前記投入部に投入された貨幣を収納する貨幣収納部と、
前記貨幣収納部に収納可能な貨幣の上限しきい値と、所定の締上処理後に該貨幣収納部に収納された貨幣の枚数との差分を示す収納可能枚数を算定する算定部と、
前記貨幣を前記貨幣収納部に収納するための所定の選択操作がなされたことを条件として、前記貨幣収納部に収納された貨幣の枚数が前記上限しきい値に占める割合を示す情報と、前記収納可能枚数とを含む表示画面を所定の期間前記表示部に表示制御する表示制御部と
を備えたことを特徴とする貨幣処理システム。
【発明の詳細な説明】
【技術分野】
【０００１】
本発明は、紙幣や硬貨等の貨幣を処理する貨幣処理装置及び貨幣処理システムに関し、特に、貨幣を入金する前に、不正を招く事態を抑制しつつ、装置内に収納済みの貨幣の金額を効率良く操作者に報知することができる貨幣処理装置及び貨幣処理システムに関する。
【背景技術】
【０００２】
従来、スーパーマーケットや百貨店等の商業施設には、商業施設内の各レジの売上金を入金する「売上金入金機」と呼ばれる貨幣処理装置が配設されている。かかる売上金入金機には、様々な情報を表示するとともに操作者が操作を行うことができるタッチパネル式等の操作表示部が筐体の上面に設けられたものが従来から知られている（例えば、特許文献１等を参照）。
【０００３】
ここで、レジ担当者が売上金入金機に対して売上金を入金する場合に、スタート待ち画面において貨幣カセット内に収納されている紙幣及び硬貨の枚数を操作表示部に表示する技術が知られている。また、売上金入金機に収納済みの貨幣の累計金額（以下、「引渡済金額」と言う）を引渡レシートに印字する技術も知られている。
【先行技術文献】
【特許文献】
【０００４】
【特許文献１】特開２０１０−２２４８０５号公報
【発明の概要】
【発明が解決しようとする課題】
【０００５】
しかしながら、上記の従来技術のように、スタート待ち画面において装置内部に収納される貨幣の枚数を常時表示することとすると、装置内部に高額の貨幣が収納されている事実が判明し、装置内から貨幣カセットを抜き出す不正を招きかねないという問題がある。明確な悪意を持たない者であっても、目前に高額な貨幣が存在するとなると、不正に略取したいとの想いを招いてしまうからである。
【０００６】
また、引渡済金額を引渡レシートに印字することとすると、前回の引渡レシートを所持しないレジ担当者は、売上金を入金する引渡が確定する前に引渡済金額を確認することができないという問題がある。レジ担当者は、該レジからどの程度の貨幣を売上金入金機に収納したかを把握する必要があり、またレジにて入力した金額と売上金入金機に入金した金額との整合を確認する必要があるが、このような場合に売上金入金機に売上金を入金しないと引渡済金額を確認できないとなると円滑なレジ作業を行ううえでの阻害要因となるからである。
【０００７】
これらのことから、売上金入金機に売上金を入金する前に、不正を招く事態を抑制しつつ、いかにして引渡済金額をレジ担当者等の操作者に報知するかが重要な課題となっている。かかる課題は、売上金入金機のみならず、様々な貨幣処理装置においても同様に生ずる課題である。
【０００８】
本発明は、上記従来技術の課題を解決するためになされたものであって、貨幣を入金する前に、不正を招く事態を抑制しつつ、装置内に収納済みの貨幣の金額を効率良く操作者に報知することができる貨幣処理装置及び貨幣処理システムを提供することを目的とする。
【課題を解決するための手段】
【０００９】
上記の課題を解決するため、本発明は、表示部と、貨幣が投入される投入部と、前記投入部に投入された貨幣を収納する貨幣収納部と、前記貨幣収納部に収納可能な貨幣の上限しきい値と、所定の締上処理後に該貨幣収納部に収納された貨幣の枚数との差分を示す収納可能枚数を算定する算定部と、前記貨幣を前記貨幣収納部に収納するための所定の選択操作がなされたことを条件として、前記貨幣収納部に収納された貨幣の枚数が前記上限しきい値に占める割合を示す情報と、前記収納可能枚数とを含む表示画面を所定の期間前記表示部に表示制御する表示制御部とを備えたことを特徴とする。
【００１０】
また、本発明は、上記の発明において、前記表示制御部は、所定の締上処理後に前記貨幣収納部に収納された貨幣の総額をさらに含む表示画面を前記表示部に表示制御することを特徴とする。
【００１１】
また、本発明は、上記の発明において、前記表示制御部は、前記表示画面を前記表示部に表示してから所定の期間経過後に、前記貨幣収納部に収納された貨幣の総額を含まない表示画面を前記表示部に表示制御することを特徴とする。
【００１４】
また、本発明は、上記の発明において、操作者が保持する記録媒体から該操作者の識別情報を読み取る読取部と、前記読取部により読み取られた操作者の権限を判定する権限判定部とをさらに備え、前記表示制御部は、前記操作者が所定の権限を有する場合には、前記表示画面を前記表示部に表示してから所定の期間、所定の締上処理後に前記貨幣収納部に収納された各レジの貨幣の総額と、各レジの貨幣の総額を加算した全レジの貨幣の総額とを含む表示画面を前記表示部に表示制御することを特徴とする。
【００１５】
また、本発明は、上記の発明において、前記表示制御部は、前記貨幣収納部に収納された貨幣を回収するための所定の回収操作がなされてから所定の期間、前回の貨幣の回収処理後に前記貨幣収納部に収納された貨幣の総額に係る情報を含む表示画面を前記表示部に表示制御することを特徴とする。
【００１６】
また、本発明は、複数の貨幣処理装置を有する貨幣処理システムであって、各貨幣処理装置は、表示部と、貨幣が投入される投入部と、前記投入部に投入された貨幣を収納する貨幣収納部と、前記貨幣収納部に収納可能な貨幣の上限しきい値と、所定の締上処理後に該貨幣収納部に収納された貨幣の枚数との差分を示す収納可能枚数を算定する算定部と、前記貨幣を前記貨幣収納部に収納するための所定の選択操作がなされたことを条件として、前記貨幣収納部に収納された貨幣の枚数が前記上限しきい値に占める割合を示す情報と、前記収納可能枚数とを含む表示画面を所定の期間前記表示部に表示制御する表示制御部とを備えたことを特徴とする。
【発明の効果】
【００１７】
本発明によれば、貨幣を入金する前に、不正を招く事態を抑制しつつ、装置内に収納済みの貨幣の金額を効率良く操作者に報知することができる。
【図面の簡単な説明】
【００１８】
【図１】図１は、本実施例に係る売上金入金機の概念を説明するための説明図である。
【図２】図２は、本実施例に係る売上金入金機の外観を示す斜視図である。
【図３】図３は、図１に示す売上金入金機における硬貨入金装置の内部の構成を示す側面図である。
【図４】図４は、図１に示す売上金入金機における硬貨入金装置の内部の構成を示す上面図である。
【図５】図５は、図１に示す売上金入金機における紙幣入金装置の内部の構成を示す側面図である。
【図６】図６は、図１に示す売上金入金機の制御系の構成を示す機能ブロック図である。
【図７】図７は、図６に示したカードＩＤデータの一例を示す図である。
【図８】図８は、図６に示した引渡済金額データの一例を示す図である。
【図９】図９は、図６に示した在高データの一例を示す図である。
【図１０】図１０は、図６に示した収納上限枚数データの一例を示す図である。
【図１１】図１１は、図２に示す売上金入金機において硬貨や紙幣の入金処理が行われる際に操作表示部に表示される画面の一例を示す図である。
【図１２】図１２は、図２に示す売上金入金機において硬貨や紙幣の入金処理が行われる際に操作表示部に表示される画面の一例を示す図である。
【図１３】図１３は、図２に示す売上金入金機において硬貨や紙幣の入金処理が行われる際に操作表示部に表示される画面の一例を示す図である。
【図１４】図１４は、図２に示す売上金入金機において硬貨や紙幣の入金処理が行われる際に操作表示部に表示される画面の一例を示す図である。
【図１５】図１５は、「締め」操作が行われた場合における本体制御部の処理手順を示すフローチャートである。
【図１６】図１６は、「引渡」操作が行われた場合における本体制御部の処理手順を示すフローチャートである。
【図１７】図１７は、「警備回収」操作が行われた場合における本体制御部の処理手順を示すフローチャートである。
【発明を実施するための形態】
【実施例】
【００１９】
以下、添付図面を参照して、本実施例に係る貨幣処理装置及び貨幣処理システムについて説明する。本実施例では、商業施設の売場（レジ）等からレジ担当者が回収してきた売上金を入金する売上金入金機に本発明を適用した場合について説明する。売上金入金機は、スーパーマーケットやショッピングモール等の商業施設における出納室や、自動販売機のメンテナンス会社の営業所に設置される装置である。
【００２０】
＜売上金入金機の概念＞
まず、本実施例に係る売上金入金機１の概念について説明する。図１は、本実施例に係る売上金入金機１の概念を説明するための説明図であり、同図は、売上金入金機１を斜め上面から見た状況を示している。
【００２１】
同図に示すように、この売上金入金機１の上部には、操作表示部８６及び８８、操作キー８９が設けられている。レジ担当者は、この操作表示部８６及び８８、操作キー８９を操作して売上金を入金することになる。なお、以下では、売上金入金機１への売上金の入金処理を「引渡処理」と言うこととする。
【００２２】
操作者であるレジ担当者が、操作表示部８８にて売上金を売上金入金機１に引き渡す引渡処理を選択したならば、レジ担当者のカードＩＤと、レジ担当者が所在するレジの売上金を売上金入金機１に引き渡した金額の合計（以下、「引渡済金額」と言う）と、売上金入金機１に引き渡すことが可能な硬貨及び紙幣の枚数とが含まれる引渡処理画面が操作表示部８８に表示される。ここでは、カードＩＤが「Ａ１２３」であり、引渡済金額が「２，１５１，６５０円」であり、硬貨の引渡可能枚数が「３７２３枚」であり、紙幣の引渡可能枚数が「２１９１枚」である状況を示している。
【００２３】
本実施例によれば、従来、レジ担当者は、新たな売上金の引渡処理を行ってレシート印字することによって引渡金額を確認していたが、本実施例によれば、レジ担当者が、自身が所持する磁気カードを磁気カードリーダに読み取らせるだけで、新たな売上金の引渡処理を確定する前に引渡済金額を確認することが可能となる。また、レジ担当者は、新たな売上金の引渡処理を行う前に、売上金入金機１に入金可能な硬貨と紙幣の枚数を把握することができるため、レジ担当者が所持する全ての貨幣を売上金入金機１に収納することができるか否かを把握することが可能となる。
【００２４】
そして、この引渡処理画面は、一定時間（例えば、３０秒）を経過すると、紙幣及び硬貨を計数する計数画面に移行する。その結果、不必要に長期間引渡済金額が操作表示部８８に表示されなくなる。明確な悪意を持たない者であっても、目前に高額な貨幣が存在するとなると、不正に略取したいとの想いを招いてしまうおそれがあるが、本実施例によれば、かかる不正の発生を未然に防止することができる。
【００２５】
このように、本実施例に係る売上金入金機１は、引渡済金額、硬貨及び紙幣の引渡可能枚数を含む引渡処理画面を操作表示部８８に表示するとともに、一定時間が経過したならば、かかる引渡処理画面を引渡済金額が含まれない他の画面に切り換えるよう構成することで、貨幣を引き渡す前に、不正を招く事態を抑制しつつ、装置内に引渡済みの貨幣の金額を効率良く操作者に報知できるようにしている。
【００２６】
＜売上金入金機１の構成＞
次に、本実施例に係る売上金入金機１の構成について説明する。図２は、本実施例に係る売上金入金機１の外観を示す斜視図である。同図に示すように、この売上金入金機１は、略直方体形状の筐体１ａを有する。
【００２７】
また、売上金入金機１の筐体１ａを手前側から見て当該売上金入金機１の左側部分には、硬貨の入金処理や計数処理を行う硬貨入金装置１０が設けられている。一方、売上金入金機１の筐体１ａを手前側から見て当該売上金入金機１の右側部分には、紙幣の入金処理や計数処理を行う紙幣入金装置５０が設けられている。
【００２８】
また、図２に示すように、売上金入金機１の筐体１ａの上部には上部カバー２が設けられている。この上部カバー２を上方に開くことにより、操作者が硬貨入金装置１０や紙幣入金装置５０の内部にアクセスすることが可能となる。具体的には、この上部カバー２は、水平方向に延びる軸２ｐを中心として図２に示す状態から上方に回転可能となっている。ここで、硬貨入金装置１０の投入部１２（後述）における硬貨の投入口及び紙幣入金装置５０の投入部５２（後述）における紙幣の投入口は、それぞれ上部カバー２に設けられている。一方、操作表示部８６及び８８、操作キー８９は、上部カバー２とは別に設けられており、上部カバー２を上方に開いても操作表示部８６、８８や操作キー８９の位置は変化しない。
【００２９】
また、売上金入金機１には、上部カバー２が上方に開かれたときに、開かれたことを検知する上部カバー開閉検知センサ（図示せず）が設けられている。また、売上金入金機１には、上部カバー２を閉状態でロックするためのロック部（図示せず）が設けられている。売上金入金機１において硬貨や紙幣の計数処理や入金処理が行われているときは、ロック部により上部カバー２が閉状態にロックされ、該上部カバー２を上方に開けない構造となっている。
【００３０】
＜硬貨入金装置１０の構成＞
次に、本実施例に係る売上金入金機１における硬貨入金装置１０の構成について説明する。図３は、硬貨入金装置１０の内部を側方から見たときの構成を示す側面図であり、図４は、図３に示す硬貨入金装置１０の内部における上部領域を上方から見たときの構成を示す上面図である。
【００３１】
図３及び図４に示すように、硬貨入金装置１０は、筐体１ａの外部から内部に硬貨を投入するための投入部１２と、投入部１２により筐体１ａの内部に投入された硬貨を搬送するための搬送部１４と、搬送部１４により搬送される硬貨の金種、真偽、正損等の識別を行う識別部１６とを備える。
【００３２】
具体的には、図４に示すように、投入部１２には、水平状態となるよう配置された円盤形状の回転盤１３が設けられており、当該回転盤１３が回転することにより、筐体１ａの外部から投入されこの回転盤１３の上に載置された硬貨が１枚ずつ当該回転盤１３から搬送部１４に繰り出される。また、投入部１２には、筐体１ａの外部から当該投入部１２に投入された硬貨を検知するための投入硬貨検知センサ（図示せず）が設けられている。また、図２に示すように、筐体１ａの上面には硬貨の投入口の開閉を行うシャッタ１２ａが設けられており、当該シャッタ１２ａが開かれたときに、操作者は筐体１ａの外部から投入部１２に硬貨を投入することができる。かかるシャッタ１２ａは、操作者が手動で開閉できる。
【００３３】
また、搬送部１４は、図４の矢印に示す方向に循環移動を行う無端状の搬送ベルト１４ａと、当該搬送ベルト１４ａが張架される複数のプーリ１４ｂ、１４ｃとを有し、複数のプーリ１４ｂ、１４ｃのうちの一つのプーリ１４ｂには当該プーリ１４ｂを回転駆動させる駆動モータ（図示せず）が設けられている。また、無端状の搬送ベルト１４ａには、当該搬送ベルト１４ａの長手方向に沿って複数の突起が間隔を空けて設けられており、各突起により硬貨が１枚ずつ押動されて搬送される。かかる搬送部１４において、駆動モータがプーリ１４ｂを回転駆動させることにより無端状の搬送ベルト１４ａが図４の矢印に示す方向に循環移動し、これにより投入部１２により筐体１ａの内部に投入された硬貨が１枚ずつ搬送ベルト１４ａにより搬送される。
【００３４】
また、搬送部１４には、識別部１６による硬貨の識別結果に基づいて硬貨の振り分けを行う振分機構１８が設けられる。具体的には、この振分機構１８は、識別部１６により正常な硬貨であると識別された硬貨を当該搬送部１４から分岐させて一時保留部２６に送る。より詳細に説明すると、搬送部１４において硬貨が搬送される搬送面において、振分機構１８の近傍には開口が設けられている。そして、振分機構１８が搬送部１４における硬貨の搬送面から上方に突出した突出位置に移動すると、搬送部１４の搬送ベルト１４ａにより搬送される硬貨が当該開口を介して搬送部１４から下方に落下して後述する一時保留部２６に送られる。また、搬送部１４の下流側端部の近傍には、開口２０が設けられている。振分機構１８により搬送部１４から分岐されなかった硬貨、すなわち識別部１６により正常な硬貨ではないと識別された硬貨や識別部１６により識別することができなかった硬貨は、リジェクト硬貨として当該開口２０から下方に落下し、後述するリジェクト部２８に送られる。
【００３５】
図３に示すように、硬貨入金装置１０において搬送部１４の下方には一時保留部２６及びリジェクト部２８がそれぞれ設けられている。ここで、一時保留部２６は、硬貨入金装置１０の奥行き方向（すなわち、図３における左右方向）において移動可能となっており、図３において実線や二点鎖線で示される３箇所の位置に移動することができる。また、一時保留部２６は、その頂部及び底部に開口が設けられた略直方体形状の枠体を有する。また、図３における中央位置にある一時保留部２６と、搬送部１４における硬貨の搬送面において振分機構１８の近傍に設けられた開口との間には、一時保留用シュート２２が設けられている。振分機構１８により振り分けられた硬貨は、一時保留用シュート２２を通って一時保留部２６に送られる。また、リジェクト部２８と、搬送部１４の下流側端部の近傍に設けられた開口２０との間には、リジェクト用シュート２４が設けられている。開口２０から落下したリジェクト硬貨はリジェクト用シュート２４を通ってリジェクト部２８に送られる。
【００３６】
図２に示すように、リジェクト部２８は売上金入金機１の筐体１ａの前面側から操作者であるレジ担当者がアクセスすることができ、このリジェクト部２８にリジェクト硬貨が送られると、操作者はリジェクト部２８からリジェクト硬貨を取り出すことができる。
【００３７】
また、硬貨入金装置１０の奥行き方向において手前側に位置する一時保留部２６（すなわち、図３において左側に位置する一時保留部２６）の下方には、硬貨返却箱３０が設けられている。一時保留部２６が図３における中央の位置から左側の位置に移動すると、当該一時保留部２６に一時的に保留されている硬貨がこの一時保留部２６から自重により落下して硬貨返却箱３０に送られる。かかる硬貨返却箱３０は、筐体１ａから手前側に引き出し可能となる。具体的には、硬貨返却箱３０を筐体１ａの内部にロックするためのロック部３１（図６参照）が設けられており、当該ロック部３１によるロック状態が解除されると、硬貨返却箱３０を筐体１ａから手前側に引き出すことができる。また、図２に示すように、硬貨返却箱３０の前面には、操作者が把持するための把持部分３０ａが設けられており、ロック部３１によるロック状態が解除された後、操作者が把持部分３０ａを把持して硬貨返却箱３０を筐体１ａから手前側に引き出すことにより、硬貨返却箱３０に収納されている硬貨を筐体１ａの外部に返却することができる。
【００３８】
また、硬貨入金装置１０の内部における下部領域には、硬貨収納カセット４０が収容されており、硬貨入金装置１０の奥行き方向において奥側に位置する一時保留部２６（すなわち、図３において右側に位置する一時保留部２６）と、硬貨収納カセット４０との間には収納用シュート３２が設けられている。これにより、一時保留部２６が図３における中央の位置から右側の位置に移動すると、当該一時保留部２６に一時的に保留されている硬貨がこの一時保留部２６から自重により落下して、収納用シュート３２を介して硬貨収納カセット４０に送られ、当該硬貨収納カセット４０に収納される。なお、硬貨収納カセット４０は、筐体１ａの外部に取り出すことができる。具体的には、図２に示すように売上金入金機１の筐体１ａの前面における下部領域には、警送会社の警備員等の所定の権限を有する者しか開くことができない扉１ｂが設けられており、この扉１ｂを開くことにより硬貨収納カセット４０を筐体１ａの外部に取り出すことができる。警送会社の警備員等により筐体１ａの外部に取り出された硬貨収納カセット４０は、警送会社の管理本部や現金処理センターに運搬され、硬貨収納カセット４０から取り出された硬貨が管理本部等で管理される。
【００３９】
＜紙幣入金装置５０の構成＞
次に、本実施例の売上金入金機１における紙幣入金装置５０の構成について説明する。図５は、紙幣入金装置５０の内部を側方から見たときの構成を示す側面図である。図５に示すように、紙幣入金装置５０は、筐体１ａの外部から紙幣が束状態で投入される投入部５２と、投入部５２に投入された紙幣を１枚ずつ筐体１ａの内部に繰り出すための繰出機構５４と、繰出機構５４により筐体１ａの内部に繰り出された紙幣を搬送するための搬送部５６と、搬送部５６により搬送される紙幣の金種、真偽、正損等の識別を行う識別部５８とを備える。
【００４０】
また、図２に示すように、筐体１ａの上面には紙幣の投入口の開閉を行うシャッタ５２ａが設けられており、当該シャッタ５２ａが開かれたときに操作者は筐体１ａの外部から投入部５２に紙幣の束を投入することができる。かかるシャッタ５２ａは、操作者が手動で開閉することができる。また、投入部５２には、筐体１ａの外部から当該投入部５２に投入された紙幣を検知するための投入紙幣検知センサ（図示せず）が設けられている。
【００４１】
また、搬送部５６における識別部５８よりも下流側の箇所には、識別部５８により識別された紙幣をリジェクト部６２及び一時保留部６４のうちいずれか一方に振り分ける分岐部６０が設けられている。具体的には、分岐部６０において、識別部５８により正常な紙幣であると識別された紙幣は一時保留部６４に送られるよう振り分けられる。一方、識別部５８により正常な紙幣ではないと識別された紙幣や識別部５８により識別することができなかった紙幣は、リジェクト紙幣としてリジェクト部６２に送られるよう振り分けられる。
【００４２】
図２に示すように、リジェクト部６２は売上金入金機１の筐体１ａの前面側から操作者がアクセス可能であり、このリジェクト部６２にリジェクト紙幣が送られると、操作者はリジェクト部６２からリジェクト紙幣を取り出すことができる。
【００４３】
また、図５に示すように、紙幣入金装置５０の内部における下部領域において一時保留部６４の真下の位置には紙幣収納カセット７０が収容される。そして、一時保留部６４に紙幣が一時的に保留された後、入金確定の指令が売上金入金機１の本体制御部８０（後述）に与えられると、一時保留部６４から紙幣収納カセット７０に紙幣が一括して送られ、この紙幣収納カセット７０に収納される。
【００４４】
なお、紙幣収納カセット７０は、筐体１ａの外部に取り出すことができる。具体的には、売上金入金機１の筐体１ａの前面における下部領域には扉１ｂが設けられており、この扉１ｂを開くことにより紙幣収納カセット７０を筐体１ａの外部に取り出すことができる。警送会社の警備員等により筐体１ａの外部に取り出された紙幣収納カセット７０は、警送会社の管理本部や現金処理センターに運搬され、紙幣収納カセット７０から取り出された紙幣が管理本部等で管理される。
【００４５】
また、図２に示すように、売上金入金機１の筐体１ａの前面における一時保留部６４の手前側の位置には扉１ｃが設けられるとともに、当該扉１ｃを閉状態にロックするための扉ロック部６５（図６参照）が設けられている。そして、当該扉ロック部６５による扉１ｃのロック状態が解除されると、操作者は扉１ｃを手前右側に開いて一時保留部６４の内部にアクセス可能となる。
【００４６】
このようにして、紙幣が一時保留部６４に一時的に保留された後、返却の指令が売上金入金機１の本体制御部８０（後述）に与えられると、扉ロック部６５による扉１ｃのロック状態が解除され、操作者は扉１ｃを開くことにより一時保留部６４の内部から紙幣を取り出すことができ、筐体１ａの外部に紙幣が返却される。そして、操作者が手動で扉１ｃを閉じると、扉ロック部６５により扉１ｃが再び閉状態にロックされる。なお、一時保留部６４に一時的に保留された紙幣を紙幣収納カセット７０に収納させる際には、扉ロック部６５による扉１ｃの閉状態のロックが維持されたままとなる。
【００４７】
＜売上金入金機の制御系の構成＞
次に、本実施例による売上金入金機１の制御系の構成について説明する。図６は、本実施例による売上金入金機１の制御系の構成を示す機能ブロック図である。同図に示すように、この売上金入金機１には、当該売上金入金機１の各構成部位の制御を行う本体制御部８０が設けられている。
【００４８】
また、硬貨入金装置１０には、当該硬貨入金装置１０の各構成部位（具体的には、投入部１２、搬送部１４、識別部１６、振分機構１８、一時保留部２６、ロック部３１等）に接続された硬貨制御部８１が設けられており、この硬貨制御部８１により硬貨入金装置１０の各構成部位が制御される。
【００４９】
また、紙幣入金装置５０には、当該紙幣入金装置５０の各構成部位（具体的には、繰出機構５４、搬送部５６、識別部５８、分岐部６０、一時保留部６４、扉ロック部６５等）に接続された紙幣制御部８２が設けられており、この紙幣制御部８２により紙幣入金装置５０の各構成部位が制御される。図６に示すように、硬貨入金装置１０に設けられた硬貨制御部８１や紙幣入金装置５０に設けられた紙幣制御部８２はそれぞれ本体制御部８０に通信可能に接続されている。
【００５０】
また、図２に示すように、売上金入金機１の筐体１ａの上面には、プリンタ等の印字部８４、２つの操作表示部８６、８８、操作キー８９及び操作者が携帯するＩＤカード（磁気カード）９２に磁気記録されたカードＩＤを読み取るための磁気カードリーダ９０が設けられており、これらの印字部８４、操作表示部８６、８８、操作キー８９、読取部９０はそれぞれ本体制御部８０に通信可能に接続されている。
【００５１】
印字部８４は、売上金入金機１における貨幣の入金処理や計数処理の結果に係る情報や、硬貨収納カセット４０及び紙幣収納カセット７０に収納されている硬貨及び紙幣の金種毎の枚数や合計金額に係る情報（在高情報）がレシートに印字される。
【００５２】
また、２つの操作表示部８６、８８のうち左側の操作表示部８６は例えばモニタからなり、売上金入金機１における貨幣の入金処理や計数処理の結果に係る情報等が表示される。一方、右側の操作表示部８８は例えばタッチパネルからなり、当該操作表示部８８には売上金入金機１における貨幣の入金処理や計数処理の結果に係る情報等の様々な情報の少なくとも一部が表示されるとともに、操作者は操作表示部８８を操作することにより本体制御部８０に様々な指示を与えることができる。
【００５３】
２つの操作表示部８６、８８は並列に配置されており、また、これらの２つの操作表示部８６、８８は同一の形状及び大きさとなる。また、本実施例では、操作者によって右側の操作表示部８８が操作されることにより左側の操作表示部８６の表示内容を変更することができる。また、操作キー８９は、例えば売上金入金機１において引渡処理（入金処理）が行われる際に確定待ち状態となったときに図示しないＬＥＤ等によって光が照射されることにより光るようになっており、操作者が当該操作キー８９を押下することにより引渡確定（入金確定）の指令が本体制御部８０に与えられる。
【００５４】
ここで、右側の操作表示部８８には、すでに説明したように、操作表示部８８にて売上金を売上金入金機１に引き渡す引渡処理を選択したならば、レジ担当者のカードＩＤと、レジ担当者が所在するレジの売上金を売上金入金機１に引き渡した金額を示す「引渡済金額」と、売上金入金機１に引き渡すことが可能な硬貨及び紙幣の枚数とが含まれる引渡処理画面が表示される。また、この引渡処理画面は、一定時間（例えば、３０秒）を経過すると、紙幣及び硬貨を計数する計数画面に移行する。その結果、不必要に長期間引渡済金額が操作表示部８８に表示されなくなる。
【００５５】
また、この売上金入金機１では、図２等に示すように、操作表示部８６、８８や操作キー８９を支持するための支持部４が設けられており、この支持部４を筐体１ａの手前側に開くことができる。具体的には、支持部４は、その下端部分（基端部分）に設けられた水平方向に延びる軸４ｐ（図４等参照）を中心として揺動可能となっている。また、図２や図５等に示すように、操作表示部８６、８８や操作キー８９を支持するための支持部４は、売上金入金機１の筐体１ａの前壁部分の少なくとも一部を構成している。また、支持部４の軸４ｐには、当該支持部４を筐体１ａの手前側に開いた状態から元の所定位置に戻る方向に付勢するための付勢部として例えばねじりバネ等が設けられている。これにより、操作者が手動で支持部４を筐体１ａの手前側に開いた後、この支持部４から手を離すと当該支持部４は自動的に元の所定位置に戻るようになっている。
【００５６】
また、本実施例では、操作表示部８６、８８や操作キー８９を支持するための支持部４は、上部カバー２が上方に開かれた状態においてのみ、筐体１ａの手前側に開くことができる。すなわち、上部カバー２が閉じているときには、支持部４の上端部分が図示しない係合部材によって上部カバー２に係合することにより、当該支持部４を筐体１ａの手前側に開くことができない。
【００５７】
また、図６に示すように、操作者が携帯するＩＤカード等の磁気カード９２には、ＩＤカードのカードＩＤが磁気記録されており、この磁気カード９２を磁気カードリーダ９０に通すと、当該磁気カード９２ａに磁気記録されたカードＩＤが磁気カードリーダ９０により読み取られる。
【００５８】
また、記憶部９４には、カードＩＤデータ９４ａ、引渡済金額データ９４ｂ、在高データ９４ｃ及び収納上限枚数データ９４ｄが記憶される。カードＩＤデータ９４ａは、カードＩＤ、レジＩＤ、権限レベル及び回収可否を対応付けたデータであり、引渡済金額データ９４ｂは、レジＩＤと引渡済金額を対応付けたデータである。在高データ９４ｃは、硬貨収納カセット４０及び紙幣収納カセット７０に収納された貨幣の金種ごとの枚数を含むデータであり、収納上限枚数データ９４ｄは、硬貨収納カセット４０及び紙幣収納カセット７０に収納される硬貨及び貨幣の上限枚数を含むデータである。
【００５９】
本体制御部８０は、カードＩＤが読み取られたならば、カードＩＤデータ９４ａを参照して、このカードＩＤに対応するレジＩＤ、権限レベル及び回収可否を特定する。そして、このカードＩＤに対応する権限レベルが「１（レジ担当者）」である場合には、引渡済金額データ９４ｂを参照してレジＩＤに対応する引渡済金額を取得するとともに、引渡済貨幣データ９４ｃを参照して貨幣の枚数を取得し、貨幣上限枚数データ９４ｄを参照して硬貨収納カセット４０及び紙幣収納カセット７０に収納される硬貨及び紙幣の上限枚数を取得する。
【００６０】
その後、操作者により「引渡処理」が選択されたならば、本体制御部８０は、この引渡済金額及び引渡処理が可能な貨幣の枚数を含む引渡処理画面を操作表示部８８に表示制御する。なお、引渡処理が可能な貨幣の枚数は、硬貨収納カセット４０及び紙幣収納カセット７０に収納される硬貨及び紙幣の上限枚数と引渡処理された硬貨及び紙幣の枚数との差分となる。
【００６１】
ただし、このカードＩＤに対応する権限レベルが「０（権限無し）」である場合には、引渡処理画面を操作表示部８８に表示しない。操作者が引渡処理を実施する権限を有しないためである。また、このカードＩＤに対応する権限レベルが「２（管理者）」である場合には、全てのレジＩＤに対応する引渡済金額を取得し、これらの引渡済金額及びその合計金額を含む引渡処理画面を操作表示部８８に表示する。管理者は、全てのレジの状況を把握する必要がある場合が多いからである。
【００６２】
また、操作者により「警備回収」が選択されたならば、本体制御部８０は、このカードＩＤに対応する回収可否を特定し、回収可否が「０」である場合には回収不可と判定して回収処理を拒否する。一方、回収可否が「１」である場合には回収可能と判定して回収を許可する。
【００６３】
このように、操作者が磁気カード９２を磁気カードリーダ９０に通すことにより、当該操作者の権限を認証することができ、所定の権限を有する操作者のみが売上金入金機１において貨幣の引渡処理（入金処理）や計数処理、回収処理を行うことができる。また、この操作者の権限レベルに応じた情報を含む引渡処理画面を操作表示部８８に表示することができる。
【００６４】
また、本体制御部８０には通信インターフェース部９８が通信可能に接続されており、本体制御部８０は、この通信インターフェース部９８により、売上金入金機１の外部に設けられた上位端末等の外部装置と信号の送受信を行うことができる。
【００６５】
＜データの一例＞
次に、図６に示したカードＩＤデータ９４ａ、引渡済金額データ９４ｂ、在高データ９４ｃ及び収納上限枚数データ９４ｄの一例について説明する。
【００６６】
まず、図６に示したカードＩＤデータ９４ａの一例について説明する。図７は、図６に示したカードＩＤデータ９４ａの一例を示す図である。同図に示すカードＩＤデータ９４ａは、カードＩＤ、レジＩＤ、権限レベル及び回収可否を対応付けたデータである。ここでは、カードＩＤ「Ａ１２３」が、レジＩＤ「Ｒ００１」、権限レベル「１（レジ担当者）」、回収可否「０（回収権限無し）」と対応付けられ、カードＩＤ「Ａ１２４」が、レジＩＤ「Ｒ００１」、権限レベル「２（管理者）」、回収可否「０（回収権限無し）」と対応付けられ、カードＩＤ「Ａ１２５」が、レジＩＤ「Ｒ００２」、権限レベル「１（レジ担当者）」、回収可否「０（回収権限無し）」と対応付けられ、カードＩＤ「Ａ１２６」が、レジＩＤ「Ｒ００２」、権限レベル「１（レジ担当者）」、回収可否「０（回収権限無し）」と対応付けられた状況を示している。また、カードＩＤ「Ｂ００１」及び「Ｂ００２」は、回収可否「１（回収権限有り）」に対応付けられた状況を示している。
【００６７】
このため、このカードＩＤデータ９４ａを参照すれば、ＩＤカードに対応するレジＩＤを特定することができるとともに、レジ担当者のＩＤカードであるか、管理者のＩＤカードであるか、警備会社の担当者が有するＩＤカードであるかを判定することができる。
【００６８】
次に、図６に示した引渡済金額データ９４ｂの一例について説明する。図８は、図６に示した引渡済金額データ９４ｂの一例を示す図である。同図に示す引渡済金額データ９４ｂは、レジＩＤと引渡済金額を対応付けたデータである。ここでは、レジＩＤ「Ｒ００１」に引渡済金額「２，１５１，６５０円」が対応付けられ、レジＩＤ「Ｒ００２」に引渡済金額「１，９５０，５００円」が対応付けられ、レジＩＤ「Ｒ００３」に引渡済金額「１，８００，５２０円」が対応付けられ、レジＩＤ「Ｒ０１０」に引渡済金額「２，３０５，１４０円」が対応付けられた状況を示している。
【００６９】
このため、この引渡済金額データ９４ｂを参照すれば、レジＩＤに対応する引渡済金額を特定することができ、カードＩＤの取得を条件として、引渡済金額を含む引渡処理画面を操作表示部８８に表示することが可能となる。
【００７０】
次に、図６に示した在高データ９４ｃ及び収納上限枚数データ９４ｄの一例について説明する。図９は、図６に示した在高データ９４ｃの一例を示す図であり、図１０は、図６に示した収納上限枚数データ９４ｄの一例を示す図である。
【００７１】
図９に示す在高データ９４ｃは、硬貨収納カセット４０及び紙幣収納カセット７０に収納された貨幣の金種ごとの枚数を含むデータである。ここでは、硬貨収納カセット４０内に５００円貨が「１１０枚」収納され、１００円貨が「４１０枚」収納され、５０円貨が「１２０枚」収納され、１０円貨が「４５７枚」収納され、５円貨が「８０枚」収納され、１円貨が「１２０枚」収納され、合計で「１２７７枚」の硬貨が硬貨カセット４０に収納された状況を示している。また、紙幣収納カセット７０内に、万円券が「２１０枚」収納され、五千円券が「１０５枚」収納され、千円券が「４９４枚」収納され、合計で「８０９枚」の紙幣が紙幣収納カセット７０に収納された状況を示している。
【００７２】
図１０に示す収納上限枚数データ９４ｄは、硬貨収納カセット４０及び紙幣収納カセット７０に収納される硬貨及び紙幣の上限枚数を含むデータである。ここでは、硬貨収納カセット４０に収納できる硬貨の上限枚数が「５０００枚」であり、紙幣収納カセット７０に収納できる紙幣の上限枚数が「３０００枚」である状況を示している。
【００７３】
このため、本体制御部８０は、この在高データ９４ｃ及び収納上限枚数データ９４ｄを参照することで、硬貨収納カセット４０及び紙幣収納カセット７０に新たに収納することができる硬貨と紙幣の枚数を算定することができる。図９及び図１０に示す例では、硬貨収納カセット４０に新たに収納できる硬貨の枚数が「３７２３枚（＝５０００枚−１２７７枚）」であり、紙幣収納カセット７０に新たに収納できる紙幣の枚数が「２１９１枚（＝３０００枚−８０９枚）」となる。このため、新たに収納できる硬貨及び紙幣の枚数を残り枚数として操作表示部８６，８８に表示することが可能となる。なお、図１に示すように、収納上限枚数に占める残り枚数をグラフ状にして操作表示部８６，８８に表示することもできる。
【００７４】
＜売上金入金機の動作及び表示画面＞
次に、上記の構成を有する売上金入金機１の動作及び表示画面の一例について説明する。なお、以下に示す売上金入金機１の動作は、本体制御部８０が当該売上金入金機１の各構成部位を制御することにより、あるいは本体制御部８０が硬貨制御部８１や紙幣制御部８２を経由して硬貨入金装置１０や紙幣入金装置５０の各構成部位を制御することにより行われる。
【００７５】
まず、売上金入金機１において硬貨や紙幣の引渡処理（入金処理）が行われるときの動作について説明する。図１１〜図１４は、図２に示す売上金入金機１において硬貨や紙幣の入金処理が行われる際に操作表示部８６、８８に表示される画面の一例を示す図である。
【００７６】
売上金入金機１が待機状態にあるときには、操作表示部８６、８８には図１１（ａ）に示す待機画面が表示される。ここでは、図中の左側に表示される画面は操作表示部８６の表示内容を示し、右側に表示される画面は操作表示部８８の表示画面を示すものとする。
【００７７】
ここで、操作表示部８６に表示される左側の表示内容は、図１１（ｂ）に示す表示画面と所定時間ごとに交互に切り替わる。また、操作表示部８８に表示される右側の表示画面は、「次へ」を操作された場合に、図１１（ｃ）に示す表示画面に切り替わる。このため、操作者は、「引渡（入金）」、「警備回収」、「計数」、「バッチ」、「締め」、「ユーザー設定」、「入金履歴」、「金額指定」を選択することが可能となる。なお、「引渡」は、主として操作者が売上金を入金する場合に操作する項目であり、売上金の入金を行うことなくレジの引渡済金額を確認する場合にも操作される。「警備回収」は警備会社等の担当者が硬貨収納カセット４０及び紙幣収納カセット７０を回収する場合に操作される。また、「締め」は、例えば店舗の閉店時などの締め処理を行う場合に操作される。ここでは、「計数」、「バッチ」、「ユーザー設定」、「入金履歴」、「金額指定」については、本発明の特徴部分ではないため、その説明を省略する。
【００７８】
そして、売上金入金機１が待機状態にあるときに、操作者が自己のＩＤカード（磁気カード）９２を磁気カードリーダ９０に通すことにより、当該ＩＤカードに磁気記録されたカードＩＤが読み取られる。この状態で、このＩＤカードが警備会社の担当者のＩＤカードであり、操作者が「引渡」を行う権限を有しない場合には、「引渡」を非表示又は薄い色の表示とするとともに、この「引渡」の操作を受け付けない。一方、操作者が「引渡」を行う権限を有する場合に、操作者が「引渡（入金）」を選択すると、図１２（ａ）に示す引渡処理画面が操作表示部８８に表示される。
【００７９】
この引渡処理画面には、カードＩＤ、引渡済金額、収納可能な硬貨の枚数及びそのグラフ表示、収納可能な紙幣の枚数及びそのグラフ表示が含まれる。このため、操作者は、売上金を売上金入金機１に引渡処理（入金処理）する前に、操作者が従事するレジから入金した売上金の合計金額を示す引渡済金額を確認することができる。なお、操作者が管理者である場合には、全てのレジの引渡済金額及びその合計金額を引渡処理画面に表示する。
【００８０】
また、操作表示部８８に引渡処理画面が表示されてから所定の期間（例えば「３０秒」）が経過したならば、図１２（ｂ）に示す表示画面に切り替わる。長時間に亘り操作表示部８８に引渡済金額を表示すると、思わぬ不正行為を引き起こすおそれがあるためである。なお、ここでは、操作表示部８６の表示画面も併せて切り替わる場合を示しており、この操作表示部８６の表示画面は、一定時間ごと交互に図１２（ｃ）に示す表示画面に切り替わる。
【００８１】
その後、操作者が、売上金入金機１の筐体１ａの上面に設けられたシャッタ１２ａやシャッタ５２ａを手動で開き、筐体１ａの外部から硬貨や紙幣を投入部１２や投入部５２に投入した後、操作表示部８８の引渡処理画面に表示されている「スタートボタン」を押下すると、投入部１２や投入部５２に投入された硬貨や紙幣は筐体１ａの内部に繰り出される。具体的には、投入部１２に投入された硬貨は当該投入部１２に設けられた回転盤１３により１枚ずつ筐体１ａの内部に繰り出され、搬送部１４により搬送される。この際に、識別部１６により硬貨の金種、真偽、正損等の識別が行われる。識別部１６により正常な硬貨であると識別された硬貨は振分機構１８により搬送部１４から分岐させられ、一時保留用シュート２２を介して一時保留部２６に送られ、この一時保留部２６に一時的に保留される。この際に、一時保留部２６は図３における中央の位置に維持される。また、識別部１６により正常な硬貨ではないと識別された硬貨や識別部１６により識別することができなかった硬貨はリジェクト硬貨として開口２０から落下し、リジェクト用シュート２４を介してリジェクト部２８に送られる。このように、売上金入金機１の筐体１ａの前面側から操作者がリジェクト部２８にアクセスすることができるため、リジェクト部２８にリジェクト硬貨が送られると、操作者はリジェクト部２８からリジェクト硬貨を取り出すことができる。
【００８２】
また、投入部５２に紙幣が投入された後、操作者が操作表示部８８の引渡処理画面に表示される「スタートボタン」を押下すると、投入部５２に投入された紙幣が繰出機構５４によって１枚ずつ筐体１ａの内部に繰り出され、搬送部５６により搬送される。この際に、識別部５８により紙幣の金種、真偽、正損等の識別が行われる。識別部５８により正常な紙幣であると識別された硬貨は分岐部６０により一時保留部６４に送られ、この一時保留部６４に一時的に保留される。また、識別部５８により正常な紙幣ではないと識別された紙幣や識別部５８により識別することができなかった紙幣はリジェクト紙幣としてリジェクト部６２に送られる。このように、売上金入金機１の筐体１ａの前面側から操作者がリジェクト部６２にアクセスすることができるため、リジェクト部６２にリジェクト紙幣が送られると、操作者はリジェクト部６２からリジェクト紙幣を取り出すことができる。
【００８３】
投入部１２に投入された硬貨が全て当該投入部１２に設けられた回転盤１３により筐体１ａの内部に繰り出されて一時保留部２６又はリジェクト部２８に送られるとともに、投入部５２に投入された紙幣が全て繰出機構５４により筐体１ａの内部に繰り出されて一時保留部６４又はリジェクト部６２に送られると、操作表示部８８には、図１３（ａ）に示す表示画面が表示される。具体的には、図１３（ａ）に示すように、操作表示部８６には引渡処理を行う金額を示す「合計金額」を含む画面が表示され、操作表示部８８には確定画面が表示される。
【００８４】
そして、操作キー８９が光るようになり、当該操作キー８９が確定キーであることが示される。操作者が操作キー８９を押下して入金確定の指令を本体制御部８０に入力すると、一時保留部２６は図３における中央の位置から右側の位置に移動し、この一時保留部２６に一時的に保留されている硬貨が当該一時保留部２６から自重により落下し、収納用シュート３２を介して硬貨収納カセット４０に送られ、この硬貨収納カセット４０に収納される。また、入金確定の指令が本体制御部８０に入力されると、一時保留部６４に一時的に保留された紙幣が当該一時保留部６４から紙幣収納カセット７０に送り込まれ、この紙幣収納カセット７０に収納される。
【００８５】
入金確定の指令が本体制御部８０に入力されることによって硬貨収納カセット４０や紙幣収納カセット７０に硬貨や紙幣が収納された後、操作表示部８６、８８には図１３（ｂ）に示す取引確定画面が表示される。具体的には、引渡金額を含む画面が操作表示部８８に表示される。また、印字部８４により、売上金入金機１における貨幣の入金処理や計数処理の結果に係る情報がレシートに印字される。
【００８６】
なお、図１３（ａ）に示す操作表示部８６の表示画面に代えて、図１４に示す画面を表示することもできる。具体的には、図１３（ａ）に示す画面の「枚数表示」が選択操作されると、図１３（ａ）に示す画面から図１４に示す画面に切り替わることになる。
【００８７】
＜本体制御部８０の処理手順＞
次に、「締め」操作が行われた場合における本体制御部８０の処理手順について説明する。図１５は、「締め」操作が行われた場合における本体制御部８０の処理手順を示すフローチャートである。ここでは、すでに磁気カードリーダ９０にてＩＤカード（磁気カード）９２に磁気記録されたカードＩＤが読み取られているものとする。
【００８８】
同図に示すように、本体制御部８０が、「締め」操作を受け付けたならば（ステップＳ１０１；Ｙｅｓ）、カードＩＤを有する操作者が「締め」操作を行う権限を有するか否かを判定する（ステップＳ１０２）。具体的には、図７に示したカードＩＤデータ９４ａを参照し、カードＩＤに対応する権限レベルが「１（レジ担当者）」又は「２（管理者）」である場合に、「締め」操作を行う権限を有するものと判定する。
【００８９】
そして、「締め」操作を行う権限を有すると判定した場合には（ステップＳ１０３；Ｙｅｓ）、「締め」操作に関する画面を操作表示部８８に表示する。そして、この画面上で「確定操作」がなされたならば（ステップＳ１０４；Ｙｅｓ）、「締め」レシートを印字した後（ステップＳ１０５）、引渡済金額データ９４ｂの引渡済金額をバックアップした後、この引渡済金額データ９４ｂの引渡済金額をリセットする（ステップＳ１０６）。なお、「締め」操作を行う権限を有しないと判定した場合（ステップＳ１０３；Ｎｏ）、「確定操作」がされない場合（ステップＳ１０４；Ｎｏ）は、そのまま処理を終了する。
【００９０】
このように、「締め」操作が行われたならば、引渡済金額データ９４ｂの引渡済金額がリセットされるため、引渡処理を行う場合に操作表示部８８に表示される引渡処理画面に含まれる引渡済金額は、「締め」処理がなされた後の引渡済金額を意味することになる。
【００９１】
次に、「引渡」操作が行われた場合における本体制御部８０の処理手順について説明する。図１６は、「引渡」操作が行われた場合における本体制御部８０の処理手順を示すフローチャートである。ここでは、すでに磁気カードリーダ９０にてＩＤカード（磁気カード）９２に磁気記録されたカードＩＤが読み取られているものとする。
【００９２】
図１６に示すように、本体制御部８０が、「引渡」操作を受け付けたならば（ステップＳ２０１；Ｙｅｓ）、カードＩＤを有する操作者が「引渡」操作を行う権限を有するか否かを判定する（ステップＳ２０２）。具体的には、図７に示したカードＩＤデータ９４ａを参照し、カードＩＤに対応する権限レベルが「１（レジ担当者）」又は「２（管理者）」である場合に、「引渡」操作を行う権限を有するものと判定する。
【００９３】
そして、「引渡」操作を行う権限を有すると判定した場合には（ステップＳ２０３；Ｙｅｓ）、カードＩＤデータ９４ａを参照してカードＩＤに対応するレジＩＤを特定する（ステップＳ２０４）。例えば、カードＩＤが「Ａ１２３」である場合には、「引渡」操作を行う権限があり、このカードＩＤに対応するレジＩＤが「Ｒ００１」と特定される。なお、「引渡」操作を行う権限を有しないと判定されたならば（ステップＳ２０３；Ｎｏ）、そのまま処理を終了する。
【００９４】
その後、本体制御部８０は、引渡済金額データ９４ｂを参照してレジＩＤに対応する引渡済金額を特定し、この引渡済金額を含む引渡処理画面を操作表示部８８に表示制御する（ステップＳ２０５）。例えば、カードＩＤが「Ａ１２３」である場合には、レジＩＤが「Ｒ００１」となるため、このレジＩＤに対応する引渡済金額が「２，１５１，６５０円」となる。
【００９５】
そして、所定の時間（例えば、「３０秒」）を経過するまでは（ステップＳ２０６；Ｎｏ）、上記の引渡処理画面を操作表示部８８に表示制御し、所定の時間が経過したならば（ステップＳ２０６；Ｙｅｓ）、操作表示部８８に表示される引渡処理画面が貨幣の計数開始画面に切り替えられる（ステップＳ２０７）。長時間に亘り、引渡済金額を含む引渡処理画面を操作表示部８８に表示すると、思わぬ不正行為を招くおそれが生ずるからである。
【００９６】
そして、この計数開始画面の「スタート」ボタンが押下されたならば（ステップＳ２０８；Ｙｅｓ）、貨幣の計数処理を行い（ステップＳ２０９）、計数結果を表示するとともに（ステップＳ２１０）、レシートを印字して（ステップＳ２１１）、処理を終了する。
【００９７】
次に、「警備回収」操作が行われた場合における本体制御部８０の処理手順について説明する。図１７は、「警備回収」操作が行われた場合における本体制御部８０の処理手順を示すフローチャートである。ここでは、すでに磁気カードリーダ９０にてＩＤカード（磁気カード）９２に磁気記録されたカードＩＤが読み取られているものとする。
【００９８】
同図に示すように、本体制御部８０が、「警備回収」操作を受け付けたならば（ステップＳ３０１；Ｙｅｓ）、カードＩＤを有する操作者が「警備回収」操作を行う権限を有するか否かを判定する（ステップＳ３０２）。具体的には、図７に示したカードＩＤデータ９４ａを参照し、カードＩＤに対応する回収可否が「１（回収権限有り）」である場合に、「警備回収」操作を行う権限を有するものと判定する。例えば、図７に示すカードＩＤ「Ａ１２３」は、回収可否が「０（回収権限無し）」であるため、警備回収を行う権限を有さない。一方、図７に示すカードＩＤ「Ｂ００１」は、回収可否が「１（回収権限有り）」であるため、警備回収を行う権限を有する。
【００９９】
そして、「警備回収」操作を行う権限を有すると判定した場合には（ステップＳ３０３；Ｙｅｓ）、全レジの引渡済金額の合計額を算定する（ステップＳ３０４）。なお、警備回収を行う前に締め処理がなされ、バックアップした引渡済金額が存在する場合には、このバックアップした引渡済金額を含む合計額を算定する。硬貨収納カセット４０及び紙幣収納カセット７０に収納される全ての貨幣の金額を特定するためである。なお、「警備回収」操作を行う権限を有しないと判定されたならば（ステップＳ３０３；Ｎｏ）、そのまま処理を終了する。
【０１００】
その後、この引渡済金額の合計額すなわち硬貨収納カセット４０及び紙幣収納カセット７０に収納される全ての貨幣の合計額を含む確認画面を操作表示部８８に表示し（ステップＳ３０５）、所定の時間（例えば、「３０秒」）が経過したならば（ステップＳ３０６；Ｙｅｓ）、操作表示部８８に表示した確認画面を貨幣回収開始画面に切り替える（ステップＳ３０７）。硬貨収納カセット４０及び紙幣収納カセット７０に収納される全ての貨幣の金額を長時間表示することで、思わぬ不正行為を招く事態を防止するためである。
【０１０１】
そして、この貨幣回収開始画面上で「スタート」ボタンが押下されると（ステップＳ３０８；Ｙｅｓ）、貨幣の回収処理を行って硬貨収納カセット４０及び紙幣収納カセット７０を装置外部に取り出し（ステップＳ３０９）、レシートを印字して（ステップＳ３１０）、処理を終了する。
【０１０２】
上述してきたように、本実施例に係る売上金入金機１は、操作表示部８８と、貨幣が投入される投入部１２，５２と、投入部１２，５２に投入された貨幣を収納する硬貨収納カセット４０及び紙幣収納カセット７０と、所定の操作がなされてから所定の期間（例えば、「３０秒」）、引渡済金額を操作表示部８８に表示制御する本体制御部８０とを備えるよう構成したので、貨幣を引き渡す前に、不正を招く事態を抑制しつつ、装置内に引渡済みの貨幣の金額を効率良く操作者に報知することができる。
【０１０３】
ところで、上記実施例では、１台の売上金入金機１を設けた場合を示したが、店舗内に複数の売上金入金機１が設けられる場合がある。かかる場合に、レジ担当者は、いずれの売上金入金機１を用いても売上金の引渡処理（入金処理）ができることが望ましい。このため、ここでは複数の売上金入金機１が設けられる場合について説明する。
【０１０４】
この場合に、操作者が複数の売上金入金機１のいずれを利用した場合であっても、該当するレジの引渡済金額を確認できる必要がある。このため、各売上金入金機１の本体制御部８０は、操作者のＩＤカードのカードＩＤを受け付けたならば、このカードＩＤからレジＩＤを特定し、このレジＩＤに対応する各売上金入金機１の引渡済金額の合計を所定の期間（例えば、「３０秒」）操作表示部８８に表示制御するよう構成する。具体的には、複数の売上金入金機１を通信可能に接続し、自装置内の引渡済金額データ９４ｂを他の売上金入金機１に通知するよう構成すれば、各売上金入金機１の本体制御部８０は、レジＩＤに対応する各売上金入金機１の引渡済金額の合計を算定することが可能となる。また、複数の売上金入金機１を通信可能に接続するとともに、複数の売上金入金機１のうちの１台を親機とし、この親機が子機となる売上金入金機１の引渡済金額を取得し、ＩＤカードを受け付けた売上金入金機１が親機に引渡済金額の合計を要求し、親機が該当する売上金入金機１に対して引渡済金額の合計を通知するよう構成した場合にも、本体制御部８０が、レジＩＤに対応する各売上金入金機１の引渡済金額の合計を取得することが可能となる。さらに、複数の売上金入金機１を所定のサーバ装置と通信可能に接続するとともに、サーバ装置が各売上金入金機１の引渡済金額を取得し、ＩＤカードを受け付けた売上金入金機１がサーバ装置に引渡済金額の合計を要求し、サーバ装置が該当する売上金入金機１に対して引渡済金額の合計を通知するよう構成した場合にも、本体制御部８０が、レジＩＤに対応する各売上金入金機１の引渡済金額の合計を取得することが可能となる。なお、複数の売上金入金機１が存在し、操作者により操作された売上金入金機１に売上金を引渡処理（入金処理）できない場合に、どの売上金入金機１に貨幣を入金できるかを通知することもできる。
【０１０５】
なお、上記の実施例では、所定の時間（例えば、「３０秒」）経過後に引渡処理画面から貨幣計数画面に切り換えることとしたが、操作者による操作（計数ボタン、戻るボタン）によって画面を切り替える方策を併用することもできる。
【０１０６】
また、操作者の選択により、引渡処理画面に含まれる項目を貨幣計数画面に表示するよう構成することもできる。ただし、引渡済金額については、長時間表示させることが望ましくないため、原則として、この引渡済金額については貨幣計数画面に表示できないものとする。ただし、この引渡済金額については貨幣計数画面に一定時間（例えば、「３０秒」）のみ表示するよう構成することもできる。
【０１０７】
また、本実施例では、新たに硬貨収納カセット４０及び紙幣収納カセット７０に収納できる貨幣の枚数（上限枚数から収納済み枚数を差し引いた枚数）を引渡処理画面に表示することとしたが、所定の操作がなされた場合に、「硬貨収納カセット４０及び紙幣収納カセット７０に収納された収納済みの貨幣の枚数」を表示するよう構成することもできる。この場合は、操作者自身が、上限枚数から収納済みの貨幣の枚数を減算して、収納可能な貨幣の枚数を判断することになる。
【０１０８】
また、本実施例では、カードＩＤにより操作者が「管理者」であると判定された場合に、全てのレジの引渡済金額及びその合計金額を含む引渡処理画面を操作表示部８８に表示制御することとしたが、操作者が「管理者」であると判定された場合に、締め処理時にバックアップした過去の引渡済金額を含む引渡処理画面を操作表示部８８に表示制御することもできる。
【０１０９】
また、売上金入金機１がレジに所在するＰＯＳ端末又はレジ釣銭機と接続されている場合に、ＰＯＳ端末又はレジ釣銭機が算定した引渡済金額と売上金入金機１に引き渡された引渡済金額とが異なるならば、この引渡済金額を例えば赤字にして強調表示することもできる。
【０１１０】
なお、本実施例では、説明の便宜上、磁気カードリーダ９０により磁気カード９２に磁気記録されたカードＩＤを読み取る場合を示したが、本発明はこれに限定されるものではなく、ＩＣカードリーダによりＩＣカードに記憶されたカードＩＤ等を読み取る場合に適用することもできる。
【０１１１】
また、本実施例の売上金入金機１においては、操作表示部８６、８８を同一の形状及び大きさとした場合を示したが、本発明はこれに限定されるものではなく、操作表示部８６、８８の形状や大きさを互いに異ならせることもできる。また、各操作表示部８６、８８を並列に配置した場合を示したが、各操作表示部８６、８８の配置を並列以外としてもよい。
【０１１２】
また、本実施例では、複数の操作表示部８６、８８のうち少なくとも１つの操作表示部（具体的には、右側の操作表示部８８）が、操作者により操作可能であることとしたが、本発明はこれに限定されるものではなく、左側の操作表示部８６をタッチパネルとして、操作者により操作可能としてもよい。
【産業上の利用可能性】
【０１１３】
本発明の貨幣処理装置及び貨幣処理システムは、貨幣を入金する前に、不正を招く事態を抑制しつつ、装置内に収納済みの貨幣の金額を効率良く操作者に報知する場合に有用である。
【符号の説明】
【０１１４】
１        売上金入金機
１ａ      筐体
１ｂ、１ｃ  扉
２        上部カバー
２ｐ      軸
４        支持部
４ｐ      軸
１０      硬貨入金装置
１２      投入部
１２ａ    シャッタ
１３      回転盤
１４      搬送部
１４ａ    搬送ベルト
１４ｂ、１４ｃ  プーリ
１６      識別部
１８      振分機構
２０      開口
２２      一時保留用シュート
２４      リジェクト用シュート
２６      一時保留部
２８      リジェクト部
３０      硬貨返却箱
３０ａ    把持部分
３１      ロック部
３２      収納用シュート
４０      硬貨収納カセット
５０      紙幣入金装置
５２      投入部
５２ａ    シャッタ
５４      繰出機構
５６      搬送部
５８      識別部
６０      分岐部
６２      リジェクト部
６４      一時保留部
６５      扉ロック部
７０      紙幣収納カセット
８０      本体制御部
８１      硬貨制御部
８２      紙幣制御部
８４      印字部
８６、８８  操作表示部
８９      操作キー
９０      磁気カードリーダ
９２      磁気カード（ＩＤカード）
９４      記憶部
９８      通信インターフェース部
【図１】
0006735107.tif 000002
【図２】
0006735107.tif 000003
【図３】
0006735107.tif 000004
【図４】
0006735107.tif 000005
【図５】
0006735107.tif 000006
【図６】
0006735107.tif 000007
【図７】
0006735107.tif 000008
【図８】
0006735107.tif 000009
【図９】
0006735107.tif 000010
【図１０】
0006735107.tif 000011
【図１１】
0006735107.tif 000012
【図１２】
0006735107.tif 000013
【図１３】
0006735107.tif 000014
【図１４】
0006735107.tif 000015
【図１５】
0006735107.tif 000016
【図１６】
0006735107.tif 000017
【図１７】
0006735107.tif 000018